【手続補正書】
【提出日】平成26年5月29日(2014.5.29)
【手続補正１】
【補正対象書類名】明細書
【補正対象項目名】０００５
【補正方法】変更
【補正の内容】
【０００５】
このような透明ディスプレイとしては、以下の透明材料（光透過性材料）を半導体材料や配線材料として用いた有機ＥＬ表示装置が挙げられる（例えば、非特許文献１参照）。この有機ＥＬ表示装置では、例えば薄膜トランジスタ（ＴＦＴ：Thin Film Transistor）において、酸化物半導体（例えば、アルミニウム（Ａｌ）および錫（Ｓｎ）を添加したＺｎ（亜鉛）−Ｉｎ（インジウム）−Ｏ（酸素））を半導体材料として用いている。また、配線材料としては、ＩＴＯ（Indium Tin Oxide：酸化インジウム錫）を用いている。
【手続補正２】
【補正対象書類名】明細書
【補正対象項目名】００２０
【補正方法】変更
【補正の内容】
【００２０】
各画素１１は、赤（Ｒ），緑（Ｇ），青（Ｂ）の３原色のサブピクセル１１Ｒ，１１Ｇ，１１Ｂにより構成されている。すなわち、各画素１１は、Ｒ，Ｇ，Ｂの３色に対応する３つのサブピクセル１１Ｒ，１１Ｇ，１１Ｂからなるサブピクセル構造となっている。ここでは、各画素１１内において、３つのサブピクセル１１Ｒ，１１Ｇ，１１Ｂが水平ライン方向（Ｈライン方向）に沿って一列に並んで配置されている。ただし、各画素１１内での各サブピクセル１１Ｒ，１１Ｇ，１１Ｂの配置構成はこの例には限られず、他の配置構成であってもよい。
【手続補正３】
【補正対象書類名】明細書
【補正対象項目名】００２１
【補正方法】変更
【補正の内容】
【００２１】
なお、図２中には図示していないが、サブピクセル１１Ｒには、信号線ＤＴＬｒ、走査線ＷＳＬおよび電源線ＤＳＬが接続されている。サブピクセル１１Ｂには、信号線ＤＴＬｂ、走査線ＷＳＬおよび電源線ＤＳＬが接続されている。サブピクセル１１Ｇには、信号線ＤＴＬｇ、走査線ＷＳＬおよび電源線ＤＳＬが接続されている。すなわち、各サブピクセル１１Ｒ，１１Ｇ，１１Ｂには、各色に対応する信号線ＤＴＬｒ，ＤＴＬｇ，ＤＴＬｂがそれぞれ個別に接続されている一方、走査線ＷＳＬおよび電源線ＤＳＬは共通して接続されている。
【手続補正４】
【補正対象書類名】明細書
【補正対象項目名】００２５
【補正方法】変更
【補正の内容】
【００２５】
ここで、本実施の形態のサブピクセル１１Ｒ，１１Ｇ，１１Ｂでは、例えば図４（Ａ），（Ｂ）に示したように、その少なくとも一部の領域が光透過領域（図４（Ｂ）中の破線で示した領域）となっている。具体的には、詳細は後述するが、サブピクセル１１Ｒ，１１Ｇ，１１Ｂ内の画素回路１４において、駆動素子（書き込みトランジスタＴｒ１、駆動トランジスタＴｒ２および保持容量素子Ｃｓ）の半導体層および電極層や配線層のうちの少なくとも一部が、光透過性材料（透明材料）を用いて構成されている。これにより、サブピクセル１１Ｒ，１１Ｇ，１１Ｂでは、例えば７７％程度の高開口率を示すことが可能となっている。これに対して、図４（Ｃ）に示した比較例１に係るサブピクセル１０１Ｒ，１０１Ｇ，１０１Ｂ（上記した駆動素子の半導体層に非透明材料であるシリコン（Ｓｉ）を用いると共に、電極層および配線層に非透明金属を用いた従来例）では、例えば３６％程度の低い開口率となっている。すなわち、少なくとも一部に透明材料を用いて構成されたサブピクセル１１Ｒ，１１Ｇ，１１Ｂでは、非透明材料だけを用いて構成されたサブピクセル１０１Ｒ，１０１Ｇ，１０１Ｂと比べて高い開口率が実現されており、裏面側の視認が可能となっている。
【手続補正５】
【補正対象書類名】明細書
【補正対象項目名】００２６
【補正方法】変更
【補正の内容】
【００２６】
図５は、表示パネル１０の断面構成例を模式的に表したものである。この表示パネル１０は、表示装置１の前面（表面）側から背面（裏面）側へ向かって、ＴＦＴ基板４、画素間絶縁膜５１、有機層５２、電極層５３、平坦化膜５４および透過率制御素子１５をこの順に有している。
【手続補正６】
【補正対象書類名】明細書
【補正対象項目名】００２９
【補正方法】変更
【補正の内容】
【００２９】
電極層４２１は、保持容量素子Ｃｓを構成する一方の電極であり、ゲート電極４２２は、ここでは書き込みトランジスタＴｒ１のゲート電極であり、配線層４２３Ａは、画素回路１４内の配線等を構成するものである。これらの電極層４２１、ゲート電極４２２および配線層４２３Ａはそれぞれ、基板４１上に形成されており、例えば、ＩＴＯ，ＩＺＯ（Indium Zinc Oxide：酸化インジウム亜鉛），ＡＺＯ（Aluminum Zink Oxide：酸化亜鉛アルミニウム）等の透明酸化物半導体や、透明炭素等の光透過性材料からなる。このような材料からなる電極層４２１、ゲート電極４２２および配線層４２３Ａは、例えばスパッタ法などにより形成することができる。
【手続補正７】
【補正対象書類名】明細書
【補正対象項目名】００５０
【補正方法】変更
【補正の内容】
【００５０】
信号線駆動回路２４は、制御信号２２Ａに従って（同期して）、映像信号処理回路２１から入力される映像信号２１Ａに対応するアナログの映像信号を生成し、各信号線ＤＴＬ（ＤＴＬｒ，ＤＴＬｇ，ＤＴＬｂ）に印加するものである。具体的には、この映像信号２１Ａに基づく各色用のアナログの映像信号電圧を、各信号線ＤＴＬｒ，ＤＴＬｇ，ＤＴＬｂに対して個別に印加する。これにより、走査線駆動回路２３により選択された画素１１内の各サブピクセル１１Ｒ，１１Ｇ，１１Ｂに対して、映像信号の書き込みを行うようになっている。なお、映像信号の書き込みとは、保持容量素子Ｃｓに対して上記映像信号電圧をプログラムし、駆動トランジスタＴｒ２のゲート−ソース間に所定の電圧を印加することを意味している。
【手続補正８】
【補正対象書類名】明細書
【補正対象項目名】００５４
【補正方法】変更
【補正の内容】
【００５４】
ここで図３を参照すると、各サブピクセル１１Ｒ，１１Ｇ，１１Ｂでは、以下のようにして映像信号の書き込み動作が行われる。まず、信号線ＤＴＬの電圧が映像信号電圧となっており、かつ電源線ＤＳＬの電圧が電圧ＶＨ（「Ｈ（ハイ）」状態）となっている期間中に、走査線駆動回路２３が、走査線ＷＳＬの電圧を電圧Ｖoffから電圧Ｖonに上げる。これにより、書き込みトランジスタＴｒ１がオン状態となるため、駆動トランジスタＴｒ２のゲート電位Ｖｇが、このときの信号線ＤＴＬの電圧に対応する映像信号電圧へと上昇する。その結果、保持容量素子Ｃｓに対して映像信号電圧が書き込まれ、保持される。
【手続補正９】
【補正対象書類名】明細書
【補正対象項目名】００５６
【補正方法】変更
【補正の内容】
【００５６】
次に、信号線ＤＴＬおよび電源線ＤＳＬの電圧がそれぞれ、映像信号電圧および電圧ＶＨ（「Ｈ」状態）のまま保持されている期間中に、走査線駆動回路２３が、走査線ＷＳＬの電圧を電圧Ｖonから電圧Ｖoffへと下げる。これにより、書き込みトランジスタＴｒ１がオフ状態となるため、駆動トランジスタＴｒ２のゲートがフローティングとなる。すると、この駆動トランジスタＴｒ２のゲート−ソース間電圧Ｖｇｓが一定に保持された状態で、駆動トランジスタＴｒ２のドレイン−ソース間に電流Ｉｄが流れる。その結果、この駆動トランジスタＴｒ２のソース電位Ｖｓが上昇すると共に、駆動トランジスタＴｒ２のゲート電位Ｖｇもまた、保持容量素子Ｃｓを介した容量カップリングにより、連動して上昇する。これにより、有機ＥＬ素子１２のアノード電圧が、この有機ＥＬ素子１２における閾値電圧Ｖelとカソード電圧Ｖcaとを足し合わせた電圧値（Ｖel＋Ｖca）よりも大きくなる。よって、有機ＥＬ素子１２のアノード−カソード間には、保持容量素子Ｃｓに保持された映像信号電圧、すなわち駆動トランジスタＴｒ２におけるゲート−ソース間電圧Ｖｇｓに応じた電流Ｉｄが流れ、有機ＥＬ素子１２が所望の輝度で発光する。
【手続補正１０】
【補正対象書類名】明細書
【補正対象項目名】００８２
【補正方法】変更
【補正の内容】
【００８２】
したがって本実施の形態では、画素１１Ａ内の各サブピクセル１１Ｒ，１１Ｇ，１１Ｂ（有機ＥＬ素子１２）における発光時および非発光時においてそれぞれ、上記した透過率制御素子１５Ａにおける光透過状態および光反射状態との組み合わせにより、例えば図１２（Ａ）〜（Ｄ）に示したような視認状態となる。
【手続補正１１】
【補正対象書類名】明細書
【補正対象項目名】００９８
【補正方法】変更
【補正の内容】
【００９８】
一方、図１５に示したように、透明電極１６１Ａ，１６１Ｂ間に駆動電圧Ｖｄ３が印加されているときには、上記したように、極性液体１６４の濡れ性が無極性液体１６３と比べて大きく変化することにより、無極性液体１６３と極性液体１６４との界面が、背面側への凸形状となる。このため、非透明性を示す無極性液体１６３が各サブピクセル１１Ｒ，１１Ｇ，１１Ｂの一部分にのみ配置される結果（図１５中の破線の矢印参照）、透過率制御素子１６全体として光透過性を示すようになり、発光光Ｌout２および外光等が透過可能となる（透明（光透過）状態となる）。
【手続補正１２】
【補正対象書類名】明細書
【補正対象項目名】０１０１
【補正方法】変更
【補正の内容】
【０１０１】
これにより本実施の形態においても、第１の実施の形態と同様の作用により同様の効果を得ることが可能である。すなわち、光透過領域を有する画素を備えた表示装置１における視認性を向上させる（例えば、裏面側の視認性を確保しつつ、情報表示の際の視認性も向上させる）ことが可能となる。したがって、この表示装置１を、例えばＡＲ用のディスプレイとして用いた場合には、その臨場感を向上させることが可能となる。